(57)【要約】【課題】広告案内などの情報をより興味を持って見てもらうことができ、安価に必要な情報をできるだけ早く且つ詳細に見てもらうことが可能な情報通信システムを提供する。【解決手段】広告案内の依頼者はパソコン１を用いてシステムの管理者にファクシミリ通信による広告案内を依頼する。システムの管理者は、上記依頼者からの注文があると、データベース４に格納されている多数の顧客の名簿の中から依頼者の注文に応じた顧客を選別し、それらの顧客のファクシミリ端末６に依頼された広告案内を一斉に送信する。その際、依頼者はパソコン１からインターネット２を通して管理者のサーバ３に依頼情報を送ることができる。また、くじ付き情報は、ファクシミリ番号の中の数字により賞品が当たる情報であることが望ましい。【選択図】      図１
2004274557.tif 000002
【特許請求の範囲】
【請求項１】
複数の顧客のファクシミリ番号を名簿化して格納したデータベースを有し、所望の顧客に対する所定情報のファクシミリ送信を依頼された際に、くじにより賞品が当たる旨のくじ付き情報を付加して前記依頼された情報をファクシミリ送信することを特徴とする情報通信システム。
【請求項２】
くじ付き情報は、ファクシミリ番号の中の数字により賞品が当たる情報であることを特徴とする請求項１に記載の情報通信システム。
【発明の詳細な説明】
【０００１】
【発明の属する技術分野】
本発明は、ファクシミリを用いて複数の顧客に情報を伝達する情報通信システムに関するものである。
【０００２】
【従来の技術】
個人向けに広告や宣伝を伝える手段として、例えばダイレクトメールが知られている。これは、商品やサービスを購入する見込みのある人にその広告案内を直接郵便で送るもので、送られた顧客はその広告案内を見て商品やサービスを注文することになる。また、広告案内の商品やサービスが不要であればそのメールは廃棄されることになる。
【０００３】
また、商品やサービスを知らせる手段としては上記のダイレクトメールの他にも種々あり、電話をかけたり、ファクシミリ伝送したりすることもできる。
【０００４】
【発明が解決しようとする課題】
ところで、上記のダイレクトメールを利用した情報通信にあっては、郵便ポストにメールが詰まれたままになっていることもあり、住人がメールをポストから取り出しても見ない場合も多く、メールの広告案内をできるだけ早く且つ詳細に見てもらうことが少なかった。
【０００５】
また、電話にしてもファクシミリにしても、知らない相手からの情報の知らせは断わられることが多く、同様に広告案内をできるだけ早く且つ詳細に見てもらうことが少なかった。
【０００６】
本発明は、上記のような問題点に鑑みてなされたもので、より興味を持って広告案内を見てもらうことができ、広告案内をできるだけ早く且つ詳細に見てもらうことが可能な情報通信システムを提供することを目的としている。
【０００７】
【課題を解決するための手段】
本発明に係る情報通信システムは、複数の顧客のファクシミリ番号を名簿化して格納したデータベースを有し、所望の顧客に対する所定情報のファクシミリ送信を依頼された際に、くじにより賞品が当たる旨のくじ付き情報を付加して前記依頼された情報をファクシミリ送信することを特徴とする構成によって、上記の目的を達成しようとするものである。
【０００８】
また、上記くじ付き情報は、ファクシミリ番号の中の数字により賞品が当たる情報であるようにしたものである。
【０００９】
【発明の実施の形態】
以下、本発明の実施例を図面について説明する。
【００１０】
図１は本発明に係る情報通信システムの構成を示す図である。
【００１１】
本システムは、複数の顧客のＦＡＸ（ファクシミリ）番号を名簿化して格納しておき、所望の顧客に対する所定情報のＦＡＸ送信を依頼された際に、くじにより賞品が当たる旨のくじ付き情報を付加して前記依頼された情報をＦＡＸ送信するようにしたものである。
【００１２】
また、上記のくじ付き情報としては、相手先のファクシミリ番号の中の数字により賞品が当たる旨の情報であることが好ましい。
【００１３】
同図において、１、１、１……は所定の広告案内（情報）のＦＡＸ伝送を依頼する依頼者のパソコン（パーソナルコンピュータ）、２はこれらのパソコン１を本システムの管理者のサーバ３と接続するインターネットで、システム管理者は複数の顧客のＦＡＸ番号をグループ毎に名簿化して格納するデータベース４を有している。５は上記複数の顧客のファクシミリ端末６、６、６……に案内広告を一斉に送信（同報）するための通信端末である。
【００１４】
上記のように構成されたシステムにおいては、広告案内の依頼者はパソコン１を用いてシステムの管理者にＦＡＸ通信による広告案内を依頼する。システムの管理者は、上記依頼者からの注文があると、データベース４に格納されている多数の顧客の名簿の中から依頼者の注文に応じた顧客を選別し、それらの顧客のファクシミリ端末６に依頼された広告案内を一斉に送信する。
【００１５】
その際、依頼者は上記のように例えば自宅のパソコン１からインターネット２を通して管理者のサーバ３に依頼情報を送ることができるが、直接管理者の事務所などに赴いて依頼を行うこともできる。そして、必要なときに依頼を行えば良いので、契約の登録料や月額使用料などは一切不要であり、またパソコン１から簡単に宛先（顧客）の変更や管理を行うことができるとともに、パソコン１から広告案内の送信状況を瞬時に確認することもできる。
【００１６】
また、管理者側では多数の顧客の名簿を有しており、しかも地域別、年代別、職業別、あるいは趣味別などに分類してデータベース４に格納しているので、依頼者の注文に即座に対応することができ、依頼者は広告案内など必要な情報だけを管理者に伝送するだけで良い。このため、ダイレクトメールのように手間がかかることはないとともに、ＦＡＸによる一斉同報であるので、より早く情報を伝達することができる。更に、ＦＡＸ伝送の送信料は安価であり、また送信可能な分だけの費用で済むので、経済的である。
【００１７】
更に、本実施例のＦＡＸによる情報伝送では、くじ付きのメッセージが同時に伝送されるので、これを受け取った顧客側ではくじが当たるかもしれないという期待感があり、端末６で印刷したものをそのまま捨ててしまう確率は低くなり、依頼者側の情報を見てもらえる確率が高くなる。
【００１８】
このように、本実施例では、より興味を持って広告案内を見てもらうことができ、広告案内をできるだけ早く且つ詳細に見てもらうことが可能な情報通信システムを実現することができる。
【００１９】
新聞やチラシでは手間や時間がかかって、しかもターゲットを絞ることができないが、本システムではＦＡＸ一斉同報であり、データベース４に顧客のＦＡＸ番号がターゲット別に分類されて格納されているので、情報伝送の必要なときに瞬時に対応可能である。また、自分で作成した例えばＡ４版サイズの原稿あるいはチラシを持参すれば良いので、経費は格段に安くなると同時に、上記のようにくじ付きであるので送信した情報を高い確率で見てもらうことができる。更に、郵便と違って情報の不着分については料金が不要となる。
【００２０】
また、ＦＡＸの利点として情報伝送に対する反響がすぐに分かり、送信する情報内容もアンケート調査、市場調査、訪問販売の約束、会員募集、入場者募集、人材募集など、様々な情報を取り扱うことができる。
【００２１】
【発明の効果】
以上説明したように、本発明によれば、広告案内などの情報をより興味を持って見てもらうことができ、安価に必要な情報をできるだけ早く且つ詳細に見てもらうことが可能になるという効果がある。
【図面の簡単な説明】
【図１】本発明に係る情報通信システムの構成を示す図
【符号の説明】
１  パソコン
２  インターネット
３  サーバ
４  データベース
５  通信端末
６  ファクシミリ端末
【図１】
2004274557.tif 000003